(57)【要約】      （修正有）【課題】重量が軽く、金属製かごの耐用性と実用性を備え、原料を回収しやすく、再利用の環境保護効果を達成した、自転車用かごの改良構造の提供。 【解決手段】自転車用かご１０の改良構造であって、フレーム及び可撓性金属線２０から構成され、フレーム上端に環状フレーム１１が設けられ、環状フレームの下端に垂直に複数の剛性細棒が排列されて設けられ、可撓性金属線２０が剛性細棒１２の間に掛け回され、この掛け回し方法は各剛性細棒上でそれぞれ３６０度巻きつけた後さらに延伸し、この原則にのっとって逐一フレームの細棒上に巻きつけ一周させて結合させ、金属質のかごを構成する。【選択図】図２
0003132352.tif 000002
【実用新案登録請求の範囲】
【請求項１】
自転車用かごの改良構造であって、フレーム及び可撓性金属線から組成され、そのうち、前記フレームが環状フレームを備え、前記環状フレームの下端に複数の剛性細棒が垂直に排列して設けられ、前記可撓性金属線が前記剛性細棒の間に掛け回され、この掛け回し方法は各剛性細棒上でそれぞれ３６０度巻きつけた後さらに延伸するものとし、全体をこの原則にのっとって逐一フレームの各剛性細棒上に巻きつけ、一周させて結合し、かごを成すことを特徴とする、自転車用かご。        
【請求項２】
前記可撓性金属線を前記剛性細棒の間に掛け回す方法が、水平横方向に巻きつけ延伸する方法である、請求項１に記載の自転車用かご。
【請求項３】
前記可撓性金属線を前記剛性細棒の間に掛け回す方法が、斜め方向に巻きつけ延伸する方法である、請求項１に記載の自転車用かご。        
【考案の詳細な説明】
【技術分野】
【０００１】
本考案は自転車用かごの改良構造設計に関し、特に、外観が金属線を編んで成るかごであって、強固で耐用性が高く、且つ材質が軽く、美観と実用性という利点を達成する、自転車用かごに関する。
【背景技術】
【０００２】
現在市場で見受けられる自転車用かごの構造は、金属質の剛性細棒を溶接して形成し、その後さらにかごを塗装し、さまざまな色を施したものがほとんどである。このようなかごは外表がすでに塗装処理されているが、一定期間使用すると、この塗装層が多かれ少かれ使用中にぶつけるなどして剥げ落ちてしまい、金属細桿が外に露出され、日光や雨にさらされて錆が生じ、外観上古ぼけ美観が失われてしまう。また、錆が生じたかごはかごの中に入れた物品を汚してしまうこともあり、且つ、このような金属質の剛性細棒から成るかごは全体の重量も比較的重い。
【０００３】
市場における従来の細棒を溶接したかごは、溶接作業に時間と手間がかかるという欠点があり、同時に鉄金属材質を溶接したもの、またアルミ金属材質を溶接したものなどがあるが、溶接して成るかごは一定時間使用すると溶接箇所に亀裂が入ったり、溶接箇所が外れてしまったりすることがよくあり、製品の強固さと耐用性が十分でない。
【０００４】
上述の問題を解決するため、業者は天然の藤で編んで成るかごを開発しており、このようなかごは重量が十分に軽く、雨にぬれても金属のように錆が発生するということはない。しかしながら、このようなかごには以下のような欠点がある。即ち、かごが天然の藤で編んで成るために、屋外で日光や雨に晒されると、この天然の藤そのものの材料特性が水分を内部に吸い取ってしまうものであるため、日光で乾燥させずに、ただ日陰で風に当たるだけでは、しばらくするとカビが生え、一旦カビが生えると洗っても根本からきれいにすることは困難であり、時間がたつとかごの表面にカビの汚れ跡が出てきてしまう。且つ、このようなかごは腐乱し破損しやすいため、一定時間使用後新しい物に交換する必要があり、経済的な面においても理想的でない。同時に、このようなかごの底面は天然の藤を密集させて編んで成るものであるため、上述のような材料が水分を吸着しカビが生えるという欠点があるだけでなく、汚れた物がかごの中の空間に入り込んだとき排出しにくいという欠点もあり、使用上の利便性に欠ける。
【０００５】
これらの問題に鑑みて、本考案は上述の構造において改善が待たれる欠点に対し研究を重ね、設計と組立てを行い、効果的に上述の欠点を改善することが本考案の創作の動機である。
【考案の開示】
【考案が解決しようとする課題】
【０００６】
本考案の主な目的は、外観上ワイヤを編んでかごを成す親和感を備え、重量が軽いという要求を満たし、同時に金属製かごの耐用性と実用性を備えた、自転車用かごの改良構造を提供することにある。
【０００７】
本考案の別の目的は、使用し破損した後、原料を回収しやすく、再利用の環境保護効果を達成した、自転車用かごの改良構造を提供することにある。  
【課題を解決するための手段】
【０００８】
上述の目的を達するため、本考案のかごの構造は、フレーム及び可撓性金属線から組成され、前記フレーム上端に環状フレームが設けられ、この環状フレームの下端に垂直排列した複数の剛性細棒が設置され、さらに前記可撓性金属線が前記剛性細棒の間に掛け回され、この掛け回し方法は水平横方向に掛け回したり、斜め方向に掛け回したりすることができ、最良の掛け回し方法は、各剛性細棒上でそれぞれ３６０度に巻きつけた後さらに延伸し、全体をこの原則にのっとって逐一フレームの細棒上に巻きつけ一周させて結合させ、自転車上に取り付け物品を入れることができる金属質のかごを構成し、美観と耐用性を備え、実用的なかごとするものである。        
【考案を実施するための最良の形態】
【０００９】
本考案のその他特徴及び具体的な実施例について、以下図面に基づき詳細に説明する。
【００１０】
図１〜図３に示すように、本考案の自転車用かご１０の改良構造の設計は、フレーム及び可撓性金属線から組成される。図の例においてフレームは金属材質で製造した１つの環状フレーム１１を含み、この環状フレーム１１の下端に垂直に排列した複数の剛性細棒１２が設けられ、これら複数の剛性細棒１２は整った排列方法で配置しても、不規則な排列方法で配置してもよく、各金属質の剛性細棒１２はそれぞれ共に下端部が底板１３に溶接で接続される。その後さらに可撓性金属線２０が剛性細棒１２の間に掛け回され、図の実施例における掛け回し方法は水平横方向に掛け回す方法を採用しており、この可撓性金属線２０の一端をまず１本目の剛性細棒１２a上に巻きつけて固定し、続いて隣の２本目の剛性細棒１２bに巻きつけるが、この可撓性金属線２０の巻きつけ方は、各剛性細棒（１２aまたは１２b）上でそれぞれ３６０度巻きつけた後さらに延伸するものとし、全体をこの原則にのっとって逐一フレームの各剛性細棒１２上に巻きつけ一周させて結合させ、自転車上に取り付け物品を入れることができる金属質のかご１０（図３参照）を構成するものである。これにより美観と耐用性を備え、実用的なかごを構成する。
【００１１】
ここで一つ述べておくべきことは、図の実施例において前記剛性細棒１２は垂直方向に分布されており、仮に前記可撓性金属線２０の一端を固定した後、隣の剛性細棒12に巻きつけ斜め方向に延伸すれば、特殊な図案や模様を編み出すことができ、これも本考案の設計理念において同じ技術範疇に含まれるものとする。
【００１２】
図３の実施例において、前記底板１３は細かいネット孔１４が設けられており、水が溜まり残存するのを防止することができる。図４に示すように、前述の可撓性金属線２０と同じ設計の編み方で、フレームの形を異なる形式にすることもでき、例えば図４に示す楕円形のかご１０aを形成しても同様に前記可撓性金属線２０の巻きつけで強固さと美観という利点を形成することができる。
【００１３】
このため、本考案による設計のかごは藤のかごのように日光や雨に晒されてカビが生え腐乱しやすいという状況が発生せず、より強固で実用的なものとなっている。さらに、本考案の設計のかごは可撓性金属線材質が用いられており、これには例えばアルミニウムワイヤ、銅ワイヤ等の線材を応用することができるが、金属は強靭性を備えているため、編み込みの密度を低くすることができ、かごの重量を軽くするという要求を満たすことができる。またアルミニウムワイヤや銅ワイヤ等の線材は資源のリサイクルと再利用を達成しやすく、環境保護効果も備えている。
【００１４】
上述のように、本考案は確実に創作の意図する目的を達することができ、美観と耐用性を備えた自転車用かごを提供でき、その実用的価値には疑いがなく、ここに法に基づき実用新案登録を出願するものである。
【図面の簡単な説明】
【００１５】
【図１】本考案のフレームフレームと可撓性金属線の立体分解図である。
【図２】本考案のフレームフレーム周囲に可撓性金属線を掛け回し結合させる動作を示す立体斜視図である。
【図３】本考案のかごの完成状態を示す立体斜視図である。
【図４】本考案の別のスタイルのかごの立体外観図である。
【符号の説明】
【００１６】
１０        かご
１１        環状フレーム環状フレーム
１２        剛性細棒
１２a      １本目の剛性細棒
１２b      ２本目の剛性細棒      
１３        底板
１４        ネット孔
２０        可撓性金属線
【図１】
0003132352.tif 000003
【図２】
0003132352.tif 000004
【図３】
0003132352.tif 000005
【図４】
0003132352.tif 000006